(57)【要約】【課題】  芳香成分を含有する木材を備えた芳香器具であって、木材特有の性質を直接感じられるものを提供すること。【解決手段】  この芳香器具１００では、札形状の木材１０が、長辺１１ａおよび短辺１１ｂとで規定される長方形状の第１面１１と、第１面１１と同一の長方形状の第２面１２と、長辺１１ａおよび短辺１１ｂの両方と隣り合うとともに、厚みを規定する厚み辺１３とを備える。第１面１１、第２面１２を規定する辺、および厚み辺１３の全てが、面取り加工されている。これにより、札形状の木材そのものが、芳香器具として効果を奏し得、手触りを向上させることができる。【選択図】図１
0003228477.tif 000002
【実用新案登録請求の範囲】
【請求項１】
樹木を原料とし芳香成分を含有する木材を少なくとも備え、前記芳香成分が前記木材から発散可能に構成された芳香器具において、
前記木材は、
長辺および前記長辺と隣り合う短辺とで規定される長方形状の第１面と、
前記第１面と平行に配置され、前記第１面と同一の長方形状の第２面と、
前記第１面および前記第２面の間の辺であって、前記長辺および前記短辺の両方と隣り合うとともに、厚みを規定する厚み辺と、
を備えた札形状に構成された芳香器具。
【請求項２】
請求項１に記載の芳香器具において、
前記木材は、
前記長辺、前記短辺、および前記厚み辺のうち何れかに対して、面取り加工されるように構成された芳香器具。
【請求項３】
請求項１に記載の芳香器具において、
前記木材は、
前記第１面を規定する全辺、前記第２面を規定する全辺、および前記長方形状の四隅に対応する全ての前記厚み辺に対して、それぞれ面取り加工されるように構成された芳香器具。
【請求項４】
請求項２または請求項３に記載の芳香器具において、
前記木材は、
前記面取り加工として、所定の曲率をもつ丸み面取り加工が用いられるように構成された芳香器具。
【請求項５】
請求項１乃至請求項４の何れか一項に記載の芳香器具において、
前記木材は、
前記樹木として杉が用いられ、
前記杉の生材にて構成された芳香器具。
【請求項６】
請求項１乃至請求項５の何れか一項に記載の芳香器具において、
前記芳香成分を含有し、前記木材に対し浸透可能に構成された液体を更に備えた芳香器具。
【請求項７】
請求項１乃至請求項６の何れか一項に記載の芳香器具において、
前記木材を収納可能に構成された袋部材を更に備えた芳香器具。
【請求項８】
請求項７に記載の芳香器具において、
前記袋部材は、
前記芳香成分を透過可能な材料にて構成された芳香器具。
【請求項９】
請求項８に記載の芳香器具において、
前記袋部材は、
前記芳香成分を透過可能な材料として、和紙が用いられるように構成された芳香器具。
【考案の詳細な説明】
【技術分野】
【０００１】
本考案は、芳香成分を含有する木材を備えた芳香器具に関する。
【背景技術】
【０００２】
従来、樹木を原料とし芳香成分を含有する複数個の木片と、木片を封入可能に構成された袋とを備えた芳香器具が、知られている。この袋は、芳香成分が透過可能な材料で構成されている。木片が封入されたとき、上記袋を介して、芳香成分が発散し得る。このため、袋に木片を封入した状態にて、芳香器具として、携帯することが可能となる（例えば、特許文献１を参照）。
【先行技術文献】
【特許文献】
【０００３】
【特許文献１】実用新案登録第３１６７３８２号公報
【考案の概要】
【０００４】
一方で、木材を活用した製品については、木材特有の性質（質感、手触り、外観等）を直接感じられるものが要望される場合がある。上述の芳香器具によれば、携帯を目的とするため、複数個の木片を袋に常時封入せざるを得ない。このため、袋の材質が、上記木材特有の性質を遮ることとなり、上記要望に応えることが困難である。
【０００５】
本考案の目的は、芳香成分を含有する木材を備えた芳香器具であって、木材特有の性質を直接感じられるものを提供することにある。
【０００６】
本考案による芳香器具は、樹木を原料とし芳香成分を含有する木材を少なくとも備え、芳香成分が木材から発散可能に構成される。本考案による芳香器具の特徴は、木材が、長辺および長辺と隣り合う短辺とで規定される長方形状の第１面と、第１面と平行に配置され第１面と同一の長方形状の第２面と、第１面および第２面の間の辺であって、長辺および短辺の両方と隣り合うとともに、厚みを規定する厚み辺と、を備えた札形状に構成されたことにある。
【０００７】
これによれば、札形状の木材そのものが、芳香器具として効果を奏し得る。従って、芳香器具の静置、携帯等、種々の使われ方においても、木材特有の性質を直接感じとることができる。
【０００８】
上記考案に係る芳香器具においては、木材が、長辺、短辺、および厚み辺のうち何れかに対して、面取り加工されるように構成されると好適である。
【０００９】
上記考案に係る芳香器具においては。木材が、第１面を規定する全辺、第２面を規定する全辺、および長方形状の四隅に対応する全ての厚み辺に対して、それぞれ面取り加工されるように構成されると更に好適である。
【００１０】
ここにおいて、上記木材が、面取り加工として、所定の曲率をもつ丸み面取り加工が用いられるように構成されてもよい。また、上記木材が、樹木として杉が用いられ、杉の生材にて構成されてもよい。
【００１１】
上記考案に係る芳香器具が、芳香成分を含有し木材に対し浸透可能に構成された液体を更に備えてもよい。
【００１２】
上記考案に係る芳香器具が、木材を収納可能に構成された袋部材を更に備えてもよい。
【００１３】
ここにおいて、上記袋部材が、芳香成分を透過可能な材料にて構成されてもよい。また、上記袋部材が、芳香成分を透過可能な材料として和紙が用いられるように構成されてもよい。
【図面の簡単な説明】
【００１４】
【図１】本考案の実施形態に係る芳香器具を構成する木材を説明するための図である。
【図２】本考案の実施形態に係る芳香器具を構成する液体と、図１に示した木材との関係を説明するための図である。
【図３】本考案の実施形態に係る芳香器具を構成する袋部材と、図１に示した木材との関係を説明するための図である。
【考案を実施するための形態】
【００１５】
以下、本考案による芳香器具の実施形態について図面を参照しつつ説明する。
【００１６】
図１は、本考案の実施形態に係る芳香器具１００を構成する木材１０を説明するための図である。芳香器具１００は、札形状の木材１０を備えている。芳香器具１００は、更に、液体２０と、袋部材３０とを備えており、これらについては後述する。
【００１７】
木材１０は、杉を原料とする生材で構成されており、杉由来の芳香成分を含有している。札形状に構成された木材１０は、第１面１１と、第２面１２と、札の厚みを規定する厚み辺１３とを備えている。
【００１８】
第１面１１は、長方形状であり、長辺１１ａおよび短辺１１ｂを備えている。第２面１２は、第１面１１と同一の長方形状であり、長辺１２ａおよび短辺１２ｂを備えている。第１面１１および第２面１２は、互いに平行となるよう配置されている。すなわち、各長辺１１ａ、１２ａは、同一の長さであり、かつ、互いに平行である。各短辺１１ｂ、１２ｂも、同一の長さであり、かつ、互いに平行である。
【００１９】
長辺１１ａの長さおよび短辺１１ｂの長さの比率は、任意である。静置、携帯等、芳香器具１００の使われ方に応じて、適切な比率が決定される。第１面１１および第２面１２の面積も、任意である。芳香成分の発散度合いを大きくしたいほど、面積が大きくなるよう、木材１０が構成される。
【００２０】
厚み辺１３は、第１面１１および第２面１２の間の辺であって、長辺１１ａおよび短辺１１ｂの両方と隣り合う（すなわち、長辺１２ａおよび短辺１２ｂの両方とも隣り合う）ようになっている。厚み辺１３は、第１面１１および第２面１２それぞれの四隅において、札形状の厚み方向に対応する辺である。
【００２１】
各長辺１１ａ、１２ａ、各短辺１１ｂ、１２ｂ、および各厚み辺１３に対しては、面取り加工が施されている。すなわち、第１面１１を規定する全辺、第２面１２を規定する全辺、および上記四隅に対応する全ての厚み辺１３に対して、それぞれ面取り加工されている。この面取り加工は、所定の曲率をもつ丸み面取り加工である。
【００２２】
これによれば、芳香成分が、木材１０より発散する。材料として、杉の生材が用いられているため、消臭、抗菌、および精神安定の効果が期待できる。このため、札形状の木材１０そのものが、芳香器具として効果を奏し得る。従って、木材１０特有の性質（質感、手触り、外観等）を直接感じとることができる。ここにおいて、木材１０を構成する全辺に対し、丸み面取り加工が施されている。このため、木材１０が把持される際において、手触りを向上させることができる。
【００２３】
図２は、本考案の実施形態に係る芳香器具１００を構成する液体２０と、図１に示した木材１０との関係を説明するための図である。この図は、上述の木材１０の第１面１１に対し、液体２０が滴下されている状態を示している。
【００２４】
液体２０は、杉から抽出される精油を含有している、所謂アロマオイルである。この精油は、杉由来の芳香成分を含有している。液体２０は、木材１０に対し浸透可能である。別途瓶詰め等された液体２０は、必要に応じて第１面１１に滴下され、木材１０に浸透して保持される。これにより、木材１０における芳香成分を増量することができる。従って、木材１０からの芳香成分の発散度合いが、大きくなり得る。
【００２５】
図３は、本考案の実施形態に係る芳香器具１００を構成する袋部材３０と、図１に示した木材１０との関係を説明するための図である。この図は、上述の木材１０が、袋部材３０に収納されている状態を示している。
【００２６】
袋部材３０は、木材１０を収納可能な長方形状に構成されており、短辺の一つに対応する縁にて、出入口３１を備えている。木材１０が収納される際には、出入口３１に対して、短辺１１ｂ、１２ｂを先頭に木材１０が袋部材３０に挿入され、木材１０全体が袋部材３０に収納される。袋部材３０に収納された木材１０は、必要に応じて、袋部材３０から取り出され得る。
【００２７】
袋部材３０は、芳香成分を透過可能な和紙で構成されている。このため、袋部材３０は、フィルタとして、木材１０からの芳香成分の発散を調整することができる。従って、袋部材３０に木材１０を収納した状態で、芳香器具１００として携帯することができる。加え、芳香成分の無駄な発散が抑制され得、芳香器具１００の効果を持続させることができる。
【００２８】
以上、本考案の実施形態によれば、札形状の木材１０そのものが、芳香器具１００として効果を奏し得る。従って、芳香器具１００の静置、携帯等、種々の使われ方においても、木材１０特有の性質を直接感じとることができる。
【００２９】
なお、本考案による顔面保護具における構成要素の形状、材料等は、実用新案登録請求の範囲のものであればよく、上記実施形態のものに限定されない。
【００３０】
上記実施形態においては、木材１０の第１面１１を規定する全辺、第２面１２を規定する全辺、および四隅に対応する全ての厚み辺１３に対して、それぞれ面取り加工されている。これにかえて、例えば、長辺１１ａ、１２ａ、短辺１１ｂ、１２ｂ、および厚み辺１３のうち何れかのみが、面取り加工されるよう構成されてもよい。
【００３１】
上記実施形態においては、面取り加工として、所定の曲率をもつ丸み面取り加工で用いられている。これにかえて、例えば、Ｃ面取り加工が用いられてもよい。面取りの種類は、手触り性、意匠性等を勘案して決められてもよい。
【符号の説明】
【００３２】
１００…芳香器具、１０…木材、１１…第１面、１１ａ…長辺、１１ｂ…短辺、１２…第２面、１２ａ…長辺、１２ｂ…短辺、１３…厚み辺、２０…液体、３０…袋部材
【図１】
0003228477.tif 000003
【図２】
0003228477.tif 000004
【図３】
0003228477.tif 000005